(57)【要約】より多くの情報を客に提供するデビットカード対応ＰＯＳ端末。客がＰＩＮパッドを使って指示しておくことにより、レシートに購入額（“￥２，０００”，…，“￥３，１５０”）に加えて客の口座（“１２３−４−６７８９０１２”）の購入後の残高（“￥３９２，３５０”）も印刷される。プライバシーを考慮し、残高が印刷された部分は折りたたまれるかシールされる。残高の代わりに口座のトランザクション履歴を印刷することも選択できる。
2002057974.tif 000002
【特許請求の範囲】
【請求項１】
顧客保有の、該顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、前記通信部を介して取引の決済を行なう即時決済装置において、
前記通信部は、顧客の口座残高の照会を行なって口座残高情報を受信するものであって、
前記通信部により受信された口座残高情報に基づく口座残高を出力する残高出力部を備えたことを特徴する即時決済装置。
【請求項２】
操作に応じて口座残高の照会を指示する残高照会操作部を備え、
前記通信部は、前記残高照会操作部の操作に応じて口座残高の照会を行なうものであることを特徴とする請求項１記載の即時決済装置。
【請求項３】
前記残高照会操作部は、前記顧客操作部と一体的に備えられ、顧客の操作に応じて口座残高の照会を指示するものであることを特徴とする請求項２記載の即時決済装置。
【請求項４】
前記残高出力部は、前記顧客操作部と一体的に設けられた、口座残高を表示出力する表示部であることを特徴とする請求項１記載の即時決済装置。
【請求項５】
前記レシート出力部が前記残高出力部を兼ねたものであって、該レシート出力部が、売上金額とともに口座残高を示すレシートをプリント出力するものであることを特徴とする請求項１記載の即時決済装置。
【請求項６】
前記レシート出力部が、出力されるレシートの、少なくとも口座残高が示された領域を折り畳む折畳み機構を備えたものであることを特徴とする請求項５記載の即時決済装置。
【請求項７】
前記レシート出力部は、少なくとも口座残高が示された領域が覆われたレシートを出力するものであることを特徴とする請求項５記載の即時決裁装置。
【請求項８】
顧客保有の、該顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、前記通信部を介して取引の決済を行なう即時決済装置において、
操作に応じて口座残高の照会を指示する残高照会操作部と、
口座残高の照会を行なって得た口座残高情報に基づく口座残高を出力する残高出力部を備えたことを特徴する即時決済装置。
【請求項９】
顧客保有の、該顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、前記通信部を介して取引の決済を行なう即時決済装置において、
前記通信部は、顧客の口座取引履歴の照会を行なって口座取引履歴情報を受信するものであって、
前記通信部により受信された口座取引履歴情報に基づく口座取引履歴を出力する履歴出力部を備えたことを特徴とする即時決済装置。
【請求項１０】
操作に応じて口座取引履歴の照会を指示する履歴照会操作部を備え、
前記通信部は、前記履歴照会操作部の操作に応じて口座取引履歴の照会を行なうものであることを特徴とする請求項９記載の即時決済装置。
【請求項１１】
前記履歴照会操作部は、前記履歴操作部と一体的に備えられ、顧客の操作に応じて口座残高の照会を指示するものであることを特徴とする請求項１０記載の即時決済装置。
【請求項１２】
前記履歴出力部は、前記顧客操作部と一体的に設けられた、口座取引履歴を表示出力する表示部であることを特徴とする請求項９記載の即時決済装置。
【請求項１３】
前記レシート出力部が前記履歴出力部を兼ねたものであって、該レシート出力部が、売上金額とともに口座取引履歴を示すレシートをプリント出力するものであることを特徴とする請求項９記載の即時決済装置。
【請求項１４】
前記レシート出力部が、出力されるレシートの、少なくとも口座取引履歴が示された領域を折り畳む折畳み機構を備えたものであることを特徴とする請求項１３記載の即時決済装置。
【請求項１５】
前記レシート出力部は、少なくとも口座取引履歴が示された領域が覆われたレシートを出力するものであることを特徴とする請求項１３記載の即時決裁装置。
【請求項１６】
顧客保有の、該顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、前記通信部を介して取引の決済を行なう即時決済装置において、
操作に応じて口座取引履歴の照会を指示する履歴照会操作部と、
口座取引履歴の照会を行なって得た口座取引履歴情報に基づく口座取引履歴を出力する履歴出力部とを備えたことを特徴とする即時決済装置。
【発明の詳細な説明】
技術分野
本発明は、ＰＯＳシステム（Ｐｏｉｎｔ  ｏｆ  Ｓａｉｌｓ  Ｔｅｒｍｉｎａｌ  Ｓｙｓｔｅｍ）等に代表される、デビットカードを用いて顧客の買物をその場で決済する即時決済装置に関する。
背景技術
近年、買物をしたときにデビットカードを用いて銀行口座から即時に決済を行なうＰＯＳシステムが利用可能となってきている。
このＰＯＳシステムは、例えば店舗等に端末機（ＰＯＳレジスタ）が設置され、買物の代金支払時に、現金に代わり、デビットカードに記録された情報をＰＯＳレジスタに読み込ませることなどの操作を行ない、その顧客の銀行口座からその店舗等の銀行口座に、その買物代金に相当する金額を即時に振り替えることにより決済を行なうシステムである。
このＰＯＳシステムでは、決済後にその顧客にいくらの買物をしたか（その顧客の口座からいくら振り替えられたか）を記録したレシートが渡される。
しかしながら、買物をしたときのレシートはあくまでもその買物の代金等が印刷されたその買物に関するレシートであり、そのレシートはそれ以上の情報が記録されたものではない。
本発明は、上記事情に鑑み、顧客に対し有用な情報を提供することのできる即時決裁装置を提供することを目的とする。
発明の開示
上記目的を達成する本発明の即時決済装置のうちの第１の即時決済装置は、顧客保有の、その顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、上記通信部を介して取引の決済を行なう即時決済装置において、
上記通信部は、顧客の口座残高の照会を行なって口座残高情報を受信するものであって、
上記通信部により受信された口座残高情報に基づく口座残高を出力する残高出力部を備えたことを特徴とする。
ここで、上記第１の即時決済装置において、操作に応じて口座残高の照会を指示する残高照会操作部を備え、
上記通信部は、残高照会操作部の操作に応じて口座残高の照会を行なうものであることが好ましい。
この場合に、上記残高照会操作部は、店舗側の人が操作するものあってもよいが、上記顧客操作部と一体的に備えられ、顧客の操作に応じて口座残高の照会を指示するものであることがさらに好ましい。
また、上記残高出力部は、顧客操作部と一体的に設けられた、口座残高を表示出力する表示部であってもよく、あるいは、上記レシート出力部が上記残高出力部を兼ねたものであって、そのレシート出力部が、売上金額とともに口座残高を示すレシートをプリント出力するものであってもよい。
ここで、上記レシート出力部が上記残高出力部を兼ねたものである場合に、そのレシート出力部は、出力されるレシートの、少なくとも口座残高が示された領域を折り畳む折畳み機構を備えたものであることが好ましく、あるいは、そのレシート出力部は、少なくとも口座残高が示された領域が覆われたレシートを出力するものであることも好ましい形態である。
また、本発明の第１の即時決済装置は、顧客保有の、その顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、上記通信部を介して取引の決済を行なう即時決済装置において、
操作に応じて口座残高の照会を指示する残高照会操作部と、
口座残高の照会を行なって得た口座残高情報に基づく口座残高を出力する残高出力部とを備えた構成のものであってもよい。
この構成の場合、上記のような、通信部が顧客の口座残高の照会を行って口座残高情報を受信し、その受信により得られた口座残高情報に基づく口座残高を出力する態様のみでなく、上記カード読取部がデビットカードに対し口座残高を照会して口座残高情報を得、その口座残高情報に基づく口座残高を出力する態様や、デビットカードから得た口座残高情報に基づく口座残高から今回の買い物の支払い金額を差し引いた残りの残高を口座残高として出力する態様なども含まれる。
また、上記目的を達成する本発明の即時決済装置のうちの第２の即時決済装置は、顧客保有の、その顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、上記通信部を介して取引の決済を行なう即時決済装置において、
上記通信部は、顧客の口座取引履歴の照会を行なって口座取引履歴情報を受信するものであって、
上記通信部により受信された口座取引履歴情報に基づく口座取引履歴を出力する履歴出力部を備えたことを特徴とする。
ここで、上記第２の即時決済装置において、操作に応じて口座取引履歴の照会を指示する履歴照会操作部を備え、
上記通信部は、履歴照会操作部の操作に応じて口座取引履歴の照会を行なうものであることが好ましい。
この場合に、上記履歴照会操作部は、上記第１の即時決済装置における残高照会操作部と同様、店舗側の人が操作するものであってもよいが、上記履歴照会操作部は、上記顧客操作部と一体的に備えられ、顧客の操作に応じて口座取引履歴の照会を指示するものであることがさらに好ましい。
また、上記履歴出力部は、上記顧客操作部と一体的に設けられた、口座取引履歴を表示出力する表示部であってもよく、あるいは上記レシート出力部が履歴出力部を兼ねたものであって、そのレシート出力部が、売上金額とともに口座取引履歴を示すレシートをプリント出力するものであってもよい。
ここで、上記レシート出力部が上記履歴出力部を兼ねたものである場合に、レシート出力部は、出力されるレシートの、少なくとも口座取引履歴が示された領域を折り畳む折畳み機構を備えたものであることが好ましく、あるいは、レシート出力部は、少なくとも口座取引履歴が示された領域が覆われたレシートを出力するものであることも好ましい形態である。
また、本発明の第２の即時決済装置は、顧客保有の、その顧客の口座に対応づけられたデビットカードに記録された情報を読み取るカード読取部と、顧客の操作により顧客認証情報を入力する顧客操作部と、売上金額を入力する金額入力部と、売上金額を示すレシートをプリント出力するレシート出力部と、外部との通信を行なう通信部とを備え、上記通信部を介して取引の決済を行なう即時決済装置において、
操作に応じて口座取引履歴の照会を指示する履歴照会履歴照会操作部と、
口座取引履歴の照会を行なって得た口座取引履歴情報に基づく口座取引履歴を出力する履歴出力部とを備えた構成のものであってもよい。
この構成の場合、上記のような、通信部が顧客の口座取引履歴の照会を行って口座取引履歴情報を受信し、その受信により得られた口座取引履歴情報に基づく口座取引履歴を出力する態様のみでなく、上記カード読取部がデビットカードに対し口座取引履歴を照会して口座取引履歴情報を得、その口座取引履歴情報に基づく口座取引履歴を出力する態様や、デビットカードから得た口座取引履歴情報に基づく口座取引履歴に、さらに今回の買い物の支払いを最新の口座取引履歴として加えたものを出力する態様なども含まれる。
従来、例えばＰＯＳシステム等の即時決済システムでは、残高照会や取引履歴等の情報は得ようとしておらず、そのため、顧客は、それらの情報を得たいと思うときは、買い物とは別途に、銀行支店等に出向き、ＡＴＭ（現金自動支払機）や残高照会機等により残高照会や通帳記入を行なうか、あるいは携帯電話等によるホームバンキングシステムを利用して残高照会等を行なう必要があった。
本発明によれば、その買物の決済の時点で口座残高あるいは取引履歴を知ることができ、顧客にとって利便性が大きく向上する。
発明を実施するための最良の形態
以下、本発明の実施形態について説明する。
図１は、本発明の即時決済装置の一実施形態としてのＰＯＳレジスタの機能構成を示すブロック図である。このＰＯＳレジスタ５０を採用したＰＯＳシステム全体については、図２を参照して後述する。
この図１に示すＰＯＳレジスタ５０には、カード読取部５１、顧客操作部５２、金額入力部５３、残高照会操作部５４、履歴照会操作部５５、レシート出力部５６、通信部５７、画面表示部５８、残高出力部５９、履歴出力部６０、および制御部６１が備えられている。
ここで、カード読取部５１では、顧客保有の、その顧客の口座に対応づけられたデビットカードに記録された情報が読み取られる。
また、顧客操作部５２では、顧客の操作により顧客認証情報（例えば暗証番号）が入力される。
また、金額入力部５３は、バーコドリーダやキーボード等からなり、この金額入力部５３では、その顧客の売上金額や品物の種類等が入力される。
残高照会操作部５４および履歴照会操作部５５は、それぞれ、操作に応じて口座残高の照会および口座取引履歴の照会を指示するものである。
また、レシート出力部５６では、売上金額を示すレシートがプリント出力される。
通信部５７は、外部との通信を行なうものであり、このＰＯＳレジスタ５０では、その通信部５７を介して取引の決済が行なわれる。また、この通信部５７では、残高照会操作部５４や履歴照会操作部５５の操作に応じて口座残高あるいは口座取引履歴の照会が行なわれて口座残高情報や口座取引履情報が受信される。
また、画面表示部５８には、この取引に必要な情報が画面表示される。
残高出力部５９および履歴出力部６０では、通信部５７により受信された、口座残高情報に基づく口座残高や、口座取引履歴情報に基づく口座取引履歴がそれぞれ出力される。
また、制御部６１はこのＰＯＳレジスタ５０の全体の制御を司っている。
ここで、残高照会操作部５４および履歴照会操作部５５は、図２に示すシステムの場合、顧客操作部５２（図２に示す暗証入力パッド２０）と一体的に備えられ、顧客の操作に応じて、それぞれ口座残高の照会および口座取引履歴の照会を指示するものである。
また、残高出力部５９および履歴出力部６０は、顧客操作部５２と一体的に設けられた、口座残高および口座取引履歴を表示出力する表示部であってもよく（図７に示すシステムはこれに相当する）、あるいは、レシート出力部５６が残高出力部および履歴出力部６０を兼ねたものであって、レシート出力部５６が、売上金額とともに口座残高や口座取引履歴を示すレシートをプリント出力するものであってもよい（図２に示すシステムはこれに相当する）。
ここで、レシート出力部５６が残高出力部５９や履歴出力部６０を兼ねたものである場合、レシート出力部５６が、出力されるレシートの、少なくとも口座残高や口座取引履歴が示された領域を折り畳む折畳み機構を備えたものであることが好ましい。
図２は、本発明の即時決済装置の一実施形態としてのＰＯＳレジスタを採用したＰＯＳシステムの構成を示す模式図である。
ある店舗で買い物してその代金を自分が保有するデビットカード１０を利用して支払おうとする顧客は、店員にその旨を告げて、その店舗に設置してあるＰＯＳレジスタ３０（本発明にいう即時決済装置の一例）の暗証入力パッド２０を用いて、デビットカード１０に記録された情報をＰＯＳレジスタ３０に読み込ませるとともに暗証番号（本発明にいう顧客認証情報の一例）を入力する。そのとき、その顧客は、自分の口座の残高を知りたいときは口座残高印刷ボタン２０ａを押し、自分の口座の取引き履歴を知りたいときは口座取引履歴印刷ボタン２０ｂを押す。
図３は、図２に示すＰＯＳシステムにおける、口座残高印刷、口座取引履歴印刷の要否選択フローを示す図である。
顧客は、暗証入力パッド１０を用いて、自分の暗証番号を入力する（ステップａ１）。また口座残高印刷ボタン２０ａが押下されたか否かが判定され（ステップａ２）、口座残高印刷ボタン２０ａが押下されたときは「口座残高通知有」が選択される（ステップａ３）。また、口座取引履歴印刷ボタン２０ｂが押下されたか否かが判定され（ステップａ４）、口座取引履歴印刷ボタン２０ｂが押下されたときは、「口座取引履歴通知有」が選択される（ステップａ５）。暗証入力パッド２０から入力された暗証番号と、口座残高通知要求や口座取引通知要求の有無が、利用店のＰＯＳレジスタ３０から、ＣＡＦＩＳセンタ２００経由で金融機関ホストセンタ３００に送信される（ステップａ６）。
図１に戻って説明を続ける。
図１に示すＰＯＳレジスタ３０には、その買い物の代金等も入力される。そのような入力が終了すると、そのＰＯＳレジスタ３０は、それらのデータをその利用店の本部のホストコンピュータ１００に送り、その本部のホストコンピュータ１００は、決済請負機関であるＣＡＦＩＳセンタ２００へ連絡し、このＣＡＦＩＳセンタ２００は、金融機関ホストセンタ３００と通信を行なって、その顧客の口座からその利用店本部の口座への、その買物代金相当額の振替を依頼するとともに、顧客が暗証入力パッド２０の口座残高印刷ボタン２０ａあるいは口座取引履歴印刷ボタン２０ｂが押されていたときは、その顧客の口座残高あるいは口座取引履歴の通知を依頼する。
金融機関ホストセンタ３００は、ＣＡＦＩＳセンタ２００からの依頼に応じて、今回の取引（買い物）相当額をその顧客の口座からその利用店本部の口座に振り替え、その振替処理結果とともに、残高通知要求あるいは取引履歴通知要求に応じて、今回の振替後の顧客の口座の残高あるいは取引履歴をＣＡＦＩＳセンタ２００に通知する。それら振替処理結果と、口座残高や口座取引履歴は、利用店本部のホスト１００を経由して利用店のＰＯＳレジスタ３０に通知される。その利用店のＰＯＳシステム３０に、例えば残高不足等によりその振替が正しく行なわれなかったことを表わす処理結果が通知されたときは、その取引は不成立となる。
一方、その通知された振替処理結果が振替えが正しく行なわれていたことを表わしているときは取引が成立し、そのＰＯＳレジスタ３０に接続されているレシートプリンタ４０から、今回の取引に関する情報と、顧客が暗証入力パッド２０の口座残高印刷ボタン２０ａあるいは口座取引履歴印刷ボタン２０ｂがあらかじめ押されていたときは、口座残高あるいは取引履歴に関する情報が印刷された買物レシート４１がプリントアウトされる。このレシートプリンタ４０からは口座残高や口座取引履歴が店員や周囲の人に容易に知られることのないよう、買物レシート４１が後述するように折り畳まれて出力される。
図４は、口座残高が印刷された買物レシートの一例を示す図である。
ここには、その買物レシートの上半分に今回の取引（買い物）の情報、下半分に口座残高等が印刷されている。
図５は、口座残高と口座取引履歴との双方が印刷された買物レシートの一例を示す図である。
ここには、その買物レシートの上半分に今回の取引（買い物）の情報、下半分に口座残高および口座取引履歴の双方が印刷されている。
図４や図５に例を示す買物レシートの折り畳みについては後で説明する。
図６は、口座残高印刷、口座取引履歴印刷の要否選択フローのもう１つの例を示す図である。
図２に示すＰＯＳシステムのＰＯＳレジスタ３０では、暗証入力パッド２０に口座残高印刷ボタン２０ａおよび口座取引履歴印刷ボタン２０ｂを備え、それらが顧客によって押下されるか否かによって口座残高通知要求や口座取引履歴通知要求の有無が認識されたが、それに代わり、この図６に示すように、店員が顧客の要望を聞いて入力するように構成してもよい。
その場合、先ず顧客により、暗証入力パッド２０から暗証番号の入力が行なわれる（ステップｂ１）。その後、店員が口座残高印刷の要否を顧客に口頭で確認し（ステップｂ２）、顧客が口座残高の印刷を希望するときは、店員がＰＯＳレジスタ３０の画面上で口座残高通知を選択する（ステップｂ３）。また、店員は、顧客に口座取引履歴印刷の要否を顧客に口頭で確認し（ステップｂ４）、顧客が口座取引履歴印刷を希望するときはＰＯＳレジスタ３０の画面上で口座残高通知を選択する（ステップｂ５）。このような操作が行なわれると、暗証入力パッド２０から入力された暗証番号と、口座残高通知要求や口座取引履歴通知要求の有無が、その利用店のＰＯＳレジスタ３０からＣＡＦＩＳセンタ２００経由で金融機関ホストセンタ３００に送信される（ステップｂ６）。
ここで、上記実施形態では、口座残高印刷ボタン２０ａが押下され、あるいは口座取引履歴印刷ボタン２０ｂが押下されると、外部との通信を行なって口座残高あるいは口座取引履歴の照会が行なわれ、その通信により得られた口座残高情報あるいは口座取引履歴情報に基づく口座残高あるいは口座取引履歴の印刷が行なわれるが、それに代わり、口座残高印刷ボタン２０ａの押下、あるいは口座取引履歴ボタン２０ｂの押下を受けてデビットカードから口座残高情報あるいは口座取引履歴情報を受け取ってその口座残高情報あるいは口座取引履歴情報に基づく口座残高あるいは口座取引履歴を印刷してもよく、さらには、そのデビットカードから受け取った口座残高情報に基づく口座残高から今回の買い物の支払代金を差し引いた金額を口座残高として印刷し、あるいはそのデビットカードから受け取った口座取引履歴情報に基づく口座取引履歴に今回の買い物の支払いを最新の口座取引履歴として付け加えて口座取引履歴を印刷してもよい。
図７は、本発明の即時決済装置のもう１つの実施形態を採用したＰＯＳシステムの構成を示す模式図である。
図２に示すＰＯＳシステムとの相違点について説明する。
この図７には、図２に示す暗証入力パッド２０に相当する暗証入力パッド５０が示されているが、この暗証入力パッド５０には、顧客の口座残高や口座取引履歴を表示する表示部５１が備えられており、さらに図２に示す暗証入力パッド２０に備えられている口座残高印刷ボタン２０ａおよび口座取引履歴印刷ボタン２０ｂに相当する口座残高印刷ボタン５０ａおよび口座取引履歴印刷ボタン５０ｂを備えているほか、表示部５１への表示を消去する表示消去ボタン５０ｃを備えている。
この図７には、図２に示すレシートプリンタ４０に相当するレシートプリンタは示されていない。これは、図７の実施形態ではレシートプリンタは特徴的なものではなく、図４あるいは図５の上半分の部分のみからなる通常の買物レシートを出力するものであるので、この図７では図示が省略されている。
顧客が暗証入力パッド５０を用いて暗証番号を入力し、さらにその顧客の希望に応じて口座残高印刷ボタン５０ａあるいは口座取引履歴印刷ボタン５０ｂが押下される。
それらの口座残高印刷ボタン５０ａあるいは口座取引履歴印刷ボタン５０ｂにより得られた口座残高情報あるいは口座取引履歴情報は、図２に示すシステムでは、図４あるいは図５に例示するように買物レシートに一緒に印刷されたが、この図７に示すシステムでは、買物レシートへの口座残高あるいは口座取引履歴の印刷に代わり、それらの情報は、暗証入力パッド５０の表示部５１に表示される。この場合、顧客がその表示を確認した後、その顧客本人が表示消去ボタン５０ｃを押下することによりその表示を直ちに消去することができ、第三者に見られてしまうことを避けることができる。また表示消去ボタン５０ｃを押さなかった場合であっても一定時間後には消去される。また、この図７には示されていないが、顧客本人が表示部５１の表示を確認している間に第三者に見られる危険性をさらに下げるために、本人の視線以外の方向からの視線を遮るカバーを取り付けることが好ましい。
次に、図２に示すシステムの説明に戻り、レシートプリンタ４０によるレシートの折り畳み機構について説明する。
図８は、口座残高が印刷された買物レシートの各部分領域を示す図、図９は、図８に示す買物レシートが折り畳まれた状態を示す図である。
ここでは、図８に示す買物レシートの、口座残高が印刷された領域ａが、図９に示すように、領域ｂと領域ｃとに挟み込れた形に折り畳まれる。
図１０は、以下に説明するレシート折り畳み機構を構成する、横方向に移動する折り刃６１の駆動機構を示す図、図１１は、以下に説明するレシート折り畳み機構の、上下に移動する折り刃６２とカッタ刃６３の駆動機構を示す図である。
図１０に示すように、折り刃６１は水平方向に移動するものであり、この折り刃６１は、プランジャ７０のオンオフにより、矢印Ａ方向および矢印Ｂ方向に駆動される。
また、図１１に示すように、上下方向に移動する折り刃６２とカッタ刃６３は、縦長のスリット６２ａ，６３ａを有し、それらの６２ａ，６３ａに、矢印Ｃ−Ｄ方向に回転するギア８０に設けられたボス８１，８２が遊挿されている。ここで、ギア８０が矢印Ｃ方向に回転するとボス８１とスリット６２ａとの干渉により折り刃６２が下降し、ギア８０が矢印Ｄ方向に回転するとボス８２とスリット６３ａとの干渉によりカッタ刃６３が下降し、ギア８０が矢印Ｃ方向への回転と矢印Ｄ方向への回転との中立点にあるときは、それら折り刃６２およびカッタ刃６３は双方とも上昇した位置にある。
図１２〜図１９は、買物レシートの折り畳み動作の各ステップを示す図である。
図１２に示すように、買物レシートとして出力される用紙４２が矢印Ｅ方向に搬送され、プラテン６４上の印刷ヘッド６５により所要の情報が印刷される。
印刷ヘッド６５では、先ず、図８のレシートの領域ａの印刷が行なわれ、その後、領域ｂ，ｃを飛ばして（あるいは領域ａの印刷が透けて見えてしまわないように黒あるいは網がけの印刷が行なわれ）、さらに領域ｄの印刷が行なわれる。
先ず領域ａの部分のみが図１２に示す位置まで送り出された状態において、図３に示すように折り刃６２が下降し領域ａを９０°折り曲げる。
次に、図１４に示すように、折り刃６２は上昇し、折り刃６１が前進して領域ａをさらに９０°折り畳む。
次に、図１５に示すように、折り刃６１は後退するとともに領域ｂの部分が図示の位置まで送り出されるまで用紙４２が矢印Ｅ方向に移動し、図１６に示すように折り刃６２が下降して領域ａを９０°折り曲げる。
さらに、図１７に示すように、折り刃６２が上昇し折り刃６１が前進して領域ｂをさらに９０°折り畳む。そのまま、図１８に示すように領域ｃの部分を送り出し、折り刃６２が下降する。この折り刃６２の先端はペーパクリップの刃を持っており、折り刃６２が下降すると、下にある折り刃６１を台にして折り畳まれた状態の領域ａ，ｂ，ｃが相互にペーパクリップされる。
図１９は、ペーパクリップの動作の説明図である。
ペーパクリップ動作は、その部分を紙（レシート）が変形する程度の力で押しその変形により領域ａ，ｂ，ｃを相互にクリップする動作である。このペーパクリップ自体は公知であり、これ以上の詳細説明は省略する。
図１８のようにしてペーパクリップ動作を行なった後は、折り刃６２は上昇し、用紙４２が領域ｄまで送り出され、カッタ刃６３の下降によりその用紙４２が切断されて、口座残高が印刷された領域ａが折り畳まれてペーパクリップされた状態の買物レシートが出力される。
図２０は、折り畳んだ状態の買物レシートを出力する別の機構を示す模式図、図２１は、図２０に示す機構で採用される丸め部材の斜視図である。
レシート用紙４２は、矢印Ｅ方向に送り出され、プラテン６４上の印刷ヘッド６５により、口座残高等、本人にのみ通知する情報を含む必要な情報が印刷され、さらに送り出される。
レシート丸め部材６６は、図２１に示すように、レシート用紙４２の両側に対応した位置に備えられた２つの部材６６１，６６２からなり、各部材６６１，６６２には、送り出されてきたレシート用紙の両側を挟むスリット６６１ａ，６６２ａが形成されている。、図２１に示すようにレシート用紙４２の先端部分の両側縁がそれらのスリット６６１ａ，６６２ａに挟み込まれると、この丸め部材６６は、その後のレシート用紙の送り出しと歩調を合わせて回転し、レシート用紙を巻き付ける。適宜の位置まで巻き付けが終わると、レシート丸め部材６６を構成する２つの部材６６１，６６２は、レシート用紙４２から離れる方向に、すなわちそれぞれ矢印Ｆ，Ｇの方向に移動してレシート用紙４２の両側縁がスリット６６１ａ，６６２ａから解放されるとともに、押しつぶし部材６７，６８がそれぞれ下降、上昇して丸まった状態のレシート用紙４２を折しつぶす。その際に上側の折しつぶし部材６７にはペーパクリップ部材６７１を備えており、下側の押しつぶし部材６８を台にしてペーパクリップ動作が行なわれる。
その後、レシート用紙４２を適宜の位置まで送り出した段階でカッタ刃６９が下降して、レシート用紙４２を切断し、一部が折り畳まれた状態の買物レシートが完成する。
このような、図２０，図２１を参照して説明した機構によっても折り畳んだ買物レシートを作成することができる。
図２２は、口座残高や、口座取引履歴が印刷された領域が隠された買物レシートの一例を示す図、図２２は、図２１に示す買物レシートの取り扱い方の説明図である。
買物レシート４１は、感熱紙からなり、販売店控え４１１と利用者控え４１２との２枚重ねになっている。これに対応するために、レシートプリンタ（図２参照）としては、感熱紙に印刷を行なうサーマルプリンタが使用される。
この買物レシート４１の販売店控え４１１の、口座残高や口座取引履歴が印刷される領域４１１ａには、もともと感熱材が塗布されておらず濃い色の印刷が施されている。したがってサーマルプリンタでその部分に印刷した情報は販売店控え４１１には印刷されず利用者控え４１２にのみ印刷される。
この販売店控え４１１の領域４１１ａは、利用者控え４１２に、ある程度の力で剥がすことができるレベルに張り付けられており、また、その領域４１１ａの周囲にはミシン目が入っていて、販売店控え４１１を利用者控え４１２から引き剥がすと、図２３に示すように、領域４１１ａは利用者控え４１２の上に残り、販売店控え４１１にはその部分に開口４１１ｂが形成される。利用者控え４１２を受け取った利用者（顧客）は、その利用者控え４１２の口座残高等を覆った紙片を引き剥がすことにより、自分の口座残高を確認することができる。
尚、その利用者控え４１２の両面の、口座残高等が印刷される領域４１２ａには裏透け防止用の印刷が施されている。
このようにして、口座残高や口座取引履歴が印刷された領域が店員や第三者に見られないようにしてもよい。
尚、上述の実施形態は、顧客の希望に応じて口座残高と口座取引履歴との双方を通知する例であるが、本発明はこれらの双方を通知するものに限られず、いずれか一方を通知するものであってもよい。
また、上述の実施形態は、口座残高や口座取引履歴を、顧客が希望した場合にのみ通知する例であるが、顧客の希望を特に確認することなく、一律に口座残高や口座取引履歴を通知するサービスを行なうようにしてもよい。
【図面の簡単な説明】
図１は、本発明の即時決済装置の一実施形態としてのＰＯＳレジスタの機能構成を示すブロック図である。
図２は、本発明の即時決済装置の一実施形態としてのＰＯＳレジスタを採用したＰＯＳシステムの構成を示す模式図である。
図３は、図２に示すＰＯＳシステムにおける、口座残高印刷、口座取引履歴印刷の要否選択フローを示す図である。
図４は、口座残高が印刷された買物レシートの一例を示す図である。
図５は、口座残高と口座取引履歴との双方が印刷された買物レシートの一例を示す図である。
図６は、口座残高印刷、取引履歴印刷の要否選択フローのもう１つの例を示す図である。
図７は、本発明の即時決済装置のもう１つの実施形態を採用したＰＯＳシステムの構成を示す模式図である。
図８は、口座残高が印刷された買物レシートの各部分領域を示す図である。
図９は、図８に示す買物レシートが折り畳まれた状態を示す図である。
図１０は、横方向に移動する折り刃の駆動機構を示す図である。
図１１は、上下に移動する折り刃とカッタ刃の駆動機構の模式図である。
図１２は、買物レシートの折り畳み動作の各スラップを示す図である。
図１３は、買物レシートの折り畳み動作の各スラップを示す図である。
図１４は、買物レシートの折り畳み動作の各スラップを示す図である。
図１５は、買物レシートの折り畳み動作の各スラップを示す図である。
図１６は、買物レシートの折り畳み動作の各スラップを示す図である。
図１７は、買物レシートの折り畳み動作の各スラップを示す図である。
図１８は、買物レシートの折り畳み動作の各スラップを示す図である。
図１９は、買物レシートの折り畳み動作の各スラップを示す図である。
図２０は、買物レシートの折り畳みを実現する別の機構を示す模式図である。
図２１は、図２０に示す機構で採用される丸め部材の斜視図である。
図２２は、口座残高や口座取引履歴が印刷された領域が隠された買物レシートの一例を示す図である。
図２３は、図２２に示す買物レシートの取り扱い方の説明図である。
【図１】
2002057974.tif 000003
【図２】
2002057974.tif 000004
【図３】
2002057974.tif 000005
【図４】
2002057974.tif 000006
【図５】
2002057974.tif 000007
【図６】
2002057974.tif 000008
【図７】
2002057974.tif 000009
【図８】
2002057974.tif 000010
【図９】
2002057974.tif 000011
【図１０】
2002057974.tif 000012
【図１１】
2002057974.tif 000013
【図１２】
2002057974.tif 000014
【図１３】
2002057974.tif 000015
【図１４】
2002057974.tif 000016
【図１５】
2002057974.tif 000017
【図１６】
2002057974.tif 000018
【図１７】
2002057974.tif 000019
【図１８】
2002057974.tif 000020
【図１９】
2002057974.tif 000021
【図２０】
2002057974.tif 000022
【図２１】
2002057974.tif 000023
【図２２】
2002057974.tif 000024
【図２３】
2002057974.tif 000025
【国際調査報告】
2002057974.tif 000026
2002057974.tif 000027
2002057974.tif 000028
2002057974.tif 000029